(57)【要約】      （修正有）【課題】焼魚等を裏返しやすくする調理器具を提供する。【解決手段】前方を傾斜で構成する二本の剥取爪３を備えたトング形状５と、後方に剥取爪を外方から内方に弾力を有するように取手７とを接合させるとともに、剥取爪の先端部に上方と共に後方に向かって突出させる斜め形状部を有する樹脂部材１１を結合させる。傾斜で形成する二本の剥取爪に焼魚等をのせることにより焼魚を掬うと同時に斜め状態の焼魚の回転角度を軽減させてかえしやすくする。また斜め形状部を有する樹脂部材による斜めの屈折により焼魚等を抑え込み回転を安定させる。【選択図】図１
0003213961.tif 000002
【実用新案登録請求の範囲】
【請求項１】
前方を傾斜を与える形状（２）で構成する二本（４）からなる剥取爪（３）を備えたトング
形状（５）と、且後方に前記二本（４）からなる剥取爪（３）を外方から内方に弾力（６）
を有するように取手（７）を接合（２２）させ、前記剥取爪（３）の先端部を上方と共に後
方に向かって突出（９）させる斜め形状部（１０）を有する樹脂部材（１１）を結合（２３）
させたことを特徴とする焼魚等の調理器具。
【請求項２】
前記樹脂部材を弾性部材としたことを特徴とする請求項１記載の焼魚等の調理器具。
【請求項３】
前記二本からなる剥取爪を前記先端部から後方部にかけて少なくとも一部を平行になるよう
に形成したことを特徴とする請求項１または２記載の焼魚等の調理器具。
【請求項４】
前記焼魚等の調理器具をほぼくの字となるように形成したことを特徴とする請求項１乃至３
のいずれか１項に記載の焼魚等の調理器具。
【請求項５】
前記焼魚等の調理器具をほぼ湾曲となるように形成したことを特徴とする請求項１乃至４のいずれか１項に記載の焼魚等の調理器具。
【請求項６】
前記焼魚等の調理器具を少なくとも一か所の屈折部または曲部がある山なり形状としたこと
を特徴とする請求項１乃至５のいずれか１項に記載の焼魚等の調理器具。
【請求項７】
前記剥取爪の少なくとも一部を上下に幅を有する平板面となるように形成したことを特徴と
する請求項１乃至６のいずれか１項に記載の焼魚等の調理器具。
器具。
【請求項８】
前記上方と共に後方に向かって突出させる斜め形状部からなる樹脂部材をほぼ矢印形状とし
たことを特徴とする請求項１乃至７のいずれか１項に記載の焼魚等の調理器具。
【請求項９】
前記樹脂部材の上面と内面の少なくとも一部を平面となるように形成したことを特徴とする
請求項１乃至８のいずれか１項に記載の焼魚等の調理器具。
【請求項１０】
前記平面にほぼ等間隔で配設する凸部を設け形成したことを特徴とする請求項１乃至９のい
ずれか１項に記載の焼魚等の調理器具。
【考案の詳細な説明】
【技術分野】
【０００１】
前方を傾斜を与える形状で構成する二本からなる剥取爪を備えたトング形状となるその
剥取爪の上部に焼魚等を裏返す為に置くものとなり、その傾斜を与えることとなる前方にのせる焼き魚はその傾斜の角度に応じて斜め状態となり、その本体の後方に有する取手を少し持ちあげることによってその斜め状態の角度に比例して焼魚は裏面に返す効率を高めるものとなりまたその持ち上げるという動作で使う力を軽減させることができ、更にその剥取爪の先端部に上方と共に後方に向かって突出させる斜め形状部を有する樹脂部材を結合させることにより仮にその突出させる樹脂部材の軽量となりやすく使用できるようになることや滑りにくい部材を形成とすることができ尚その後方に向かって突出させる斜め形状部の仮に屈折によりその二本からなる剥取爪の上部に乗せる焼魚をその屈折部による角により軽度に抑え込み傾斜からなる焼魚を落とすことなく返す角度間を安定して保持させながら使用することができまたその本体からなる前方に剥取爪を備えたトング形状を外方から内方に弾力を有するように取手を接合させることにより大きい焼魚を網の上内を掴み移動させることやたらこやめざし等の小さい焼き調理品をそのトングで挟み込むことができるようになり尚その取手を設けることによりそのトングを親指や人差し指で挟み込む操作ができるようになる為仮に通常５本指で握る力を半減させることが可能となり扱いやすい部材となる。
【背景技術】
【０００２】
焼魚等を裏返すまでの角度間の長さまたは度合いが大きい為その調理品を返しにくいということがあることやその調理器具にのせる焼魚等を掬う際に落としやすいということが生じやすく尚焼き物大小からなる調理品に対しての使い分けがしにくいというそれぞれの問題点があった。
【先行技術文献】
【特許文献】
【０００３】
実開昭６１−０８２５４１公報
【考案の概要】
【考案が解決しようとする課題】
【０００４】
焼魚等を裏返すまでの角度間の長さまたは度合いが大きい為その調理品を返しにくいと
いうことがあることやその調理器具にのせる焼魚等を掬う際に落としやすいということが
生じやすく尚焼き物大小からなる調理品に対しての使い分けがしにくいというそれぞれの
問題を解決するために本考案は前方を傾斜を与える形状で構成する二本からなる剥取爪を
備えたトング形状となるその剥取爪の上部に焼魚等を裏返す為に置くものとなり、その傾
斜を与えることとなる前方に乗せる焼き魚はその傾斜の角度に応じて斜め状態となり、そ
の本体の後方に有する取手を少し持ちあげることによってその斜め状態の角度に比例して
焼魚は裏面に返す効率を高めるものとなりまたその持ち上げるという動作で使う力を軽減
させることができ、更にその剥取爪の先端部に上方と共に後方に向かって突出させる斜め
形状部を有する樹脂部材を結合させることにより仮にその突出させる樹脂部材の軽量とな
りやすく使用できるようになることや滑りにくい部材を形成とすることができ尚その後方
に向かって突出させる斜め形状部の仮に屈折によりその二本からなる剥取爪の上部に乗せ
る焼魚をその屈折部による角により軽度に抑え込み傾斜からなる焼魚を落とすことなく返
す角度間を安定して保持させながら使用することができまたその本体からなる前方に剥取
爪を備えたトング形状を外方から内方に弾力を有するように取手を接合させることにより
大きい焼魚を網の上内を掴み移動させることやたらこやめざし等の小さい焼き調理品をそ
のトングで挟み込むことができるようになり尚その取手を設けることによりそのトングを
親指や人差し指で挟み込む操作ができるようになる為仮に通常５本指で握る力を半減させ
ることが可能となり扱いやすい部材となる。
【課題を解決するための手段】
【０００５】
本考案１は
前方を傾斜を与える形状で構成する二本からなる剥取爪を備えたトング形状と、且後方に
前記二本からなる剥取爪を外方から内方に弾力を有するように取手を接合させ、前記剥取
爪の先端部を上方と共に後方に向かって突出させる斜め形状部を有する樹脂部材を結合
させたことを特徴とする焼魚等の調理器具を提供。
【０００６】
本考案２は
前記樹脂部材を弾性部材としたことを特徴とする焼魚等の調理器具を提供。
【０００７】
本考案３は
前記二本からなる剥取爪を前記先端部から後方部にかけて少なくとも一部を平行になる
ように形成したことを特徴とする焼魚等の調理器具を提供。
【０００８】
本考案４は
前記焼魚等の調理器具をほぼくの字となるように形成したことを特徴とする焼魚等の調理器具を提供。
【０００９】
本考案５は
前記焼魚等の調理器具をほぼ湾曲となるように形成したことを特徴とする焼魚等の調理器具を提供。
【００１０】
本考案６は
前記焼魚等の調理器具を少なくとも一か所の屈折部または曲部がある山なり形状とした
ことを特徴とする焼魚等の調理器具。
【００１１】
本考案７は
前記剥取爪の少なくとも一部を上下に幅を有する平板面となるように形成したことを特徴とする焼魚等の調理器具を提供。
【００１２】
本考案８は
前記上方と共に後方に向かって突出させる斜め形状部からなる樹脂部材をほぼ矢印形状
としたことを特徴とする焼魚等の調理器具を提供。
【００１３】
本考案９は
前記樹脂部材の上面と内面の少なくとも一部を平面となるように形成したことを特徴とする焼魚等の調理器具を提供。
【００１４】
本考案１０は
前記平面にほぼ等間隔で配設する凸部を設け形成したことを特徴とする焼魚等の調理器
具を提供。
【考案の効果】
【００１５】
本考案１は
前方を傾斜を与える形状で構成する二本からなる剥取爪を備えたトング形状と、且後方に
前記二本からなる剥取爪を外方から内方に弾力を有するように取手を接合させ、前記剥取
爪の先端部を上方と共に後方に向かって突出させる斜め形状部を有する樹脂部材を結合さ
せたことを特徴とする為前方を傾斜を与える形状で構成する二本からなる剥取爪を備えた
トング形状となるその剥取爪の上部に焼魚等を裏返す為に置くものとなり、その傾斜を与
えることとなる前方に乗せる焼き魚はその傾斜の角度に応じて斜め状態となり、その本体
の後方に有する取手を少し持ちあげることによってその斜め状態の角度に比例して焼魚は
裏面に返す効率を高めるものとなりまたその持ち上げるという動作で使う力を軽減させる
ことができ、更にその剥取爪の先端部に上方と共に後方に向かって突出させる斜め形状部
を有する樹脂部材を結合させることによりその突出させる樹脂部材の軽量となりやすく使
用できるようになることや滑りにくい部材を形成とすることができ尚その後方に向かって
突出させる斜め形状部の仮に屈折によりその二本からなる剥取爪の上部に乗せる焼魚をそ
の屈折部による角により軽度に抑え込み傾斜からなる焼魚を落とすことなく返す角度間を
安定して保持させながら使用することができまたその本体からなる前方に剥取爪を備えた
トング形状を外方から内方に弾力を有するように取手を接合させることにより大きい焼魚
を網の上内を掴み移動させることやたらこやめざし等の小さい焼き調理品をそのトングで
挟み込むことができるようになり尚その取手を設けることによりそのトングを親指や人差
し指で挟み込む操作ができるようになる為仮に通常５本指で握る力を半減させることが可
能となり扱いやすい部材となる。
【００１６】
本考案２は
前記樹脂部材を弾性部材としたことを特徴とすることを示しその樹脂部材を弾性部材としたことによりその上方と共に後方に向かって突出させる斜め形状部の弾性部材は変形のしやすくなる為その剥取爪の上部に乗せる焼魚をいためることなくその斜め形状部の仮に屈折により挟み込むまたは軽度に支えることができ更にその弾性部材の弾力を利用してその二本からなる剥取爪を備えたトング形状で挟み込む調理品を優しく押えると共に掴みやすい部材とすることができる。
【００１７】
本考案３は
前記二本からなる剥取爪を前記先端部から後方部にかけて少なくとも一部を平行になるよ
うに形成したことを特徴とする為その二本からなる剥取爪を前記先端部から後方部にかけ
て少なくとも一部を平行になるように形成したことにより焼魚下の等間隔に且平行に配設
する網に差し込みやすくしてその焼魚を返しやすくする。
【００１８】
本考案４は
前記焼魚等の調理器具をほぼくの字となるように形成したことを特徴とする為その焼魚等の調理器具をほぼくの字となるように形成したことにより前方に形成される二本からなる剥取爪に傾斜を与えるものとなりまた後方にある取手も傾斜となりやすい為持ち上げやす
く且置きやすいものとなる。
【００１９】
本考案５は
前記焼魚等の調理器具をほぼ湾曲となるように形成したことを特徴とする為その焼魚等の調理器具をほぼ湾曲となるように形成したことにより前方に形成される二本からなる剥取爪に傾斜を与えやすいものとなりまた後方にある取手も傾斜となりやすい為持ち上げやすく且置きやすいものとなり角がたちにくい扱いやすい部材となる。
【００２０】
本考案６は
前記焼魚等の調理器具を少なくとも一か所の屈折部または曲部がある山なり形状としたことを特徴とする為その剥取爪の傾斜角度によってその角度が高いと全体が角のたちやすいの山なりとなりやすい為その剥取爪の傾斜角度に応じて屈折部または曲部で徐々に角度調整をしながら山なりを形成することにより見た目や扱いやすさがシャープになりやくまた仮にその剥取爪の傾斜部を波状や凹凸の曲部を形成することによりその剥取爪に滑り止め効果を与えながらその焼魚等の調理器具を山なりに形成することができる。
【００２１】
本考案７は
前記剥取爪の少なくとも一部を上下に幅を有する平板面となるように形成したことを特徴
とする為まず上下に幅を有する平板面にのせる重さはその平板面の一定幅を通じて下方向
に向かって係りやすくなる為安定感を得やすいものとなることやまたその平板面によりト
ングとして親指や人さし指等で摘みやすく扱いやすいものとなり尚仮にそのトング形状の
先端部を平板面となることにより調理品を掴みやすくして扱いやすい部材とすることがで
きるようになる。
【００２２】
本考案８は
前記上方と共に後方に向かって突出させる斜め形状部からなる樹脂部材をほぼ矢印形状と
したことを特徴とする為その上方と共に後方に向かって突出させる斜め形状部をほぼ矢印
形状としたことによりその矢印形状の矢先の折り返しを利用して焼魚等を軽度に押えその
二本からなる剥取爪の傾斜部にのせる焼魚を安定した状態を保ちながら裏返す角度間を維
持させ少なくとも半固定させながら使用できるものとなる。
【００２３】
本考案９は
前記樹脂部材の上面と内面の少なくとも一部を平面となるように形成したことを特徴とする為その樹脂部材の上面と内面の少なくとも一部を平面となるように形成したことにより
まずその樹脂部材の上面を平面となることによりのせる焼魚等を安定させることができまたその弾性部材の内面を平面となることによりそのトング形状で調理品を掴みやすくなるようにすることができるものとなる。
【００２４】
本考案１０は
前記平面にほぼ等間隔で配設する凸部を設け形成したことを特徴とする為その平面に等間
隔で配設する凸部を設け形成したことによりその平面に値する弾性部材に滑り止め効果を
与え扱いやすいものとなる。
【図面の簡単な説明】
【００２５】
【図１】本考案に係る焼魚等の調理器具の正面図。
【図２】形成一例概略図。
【考案を実施するための形態】
【００２６】
以下、本考案の好適な実施例を図面に基づいて説明する。
【００２７】
図１は本考案に係る焼魚等の調理器具の一例を示す正面図である。
【００２８】
図１は前方を傾斜を与える形状（２）で構成する二本（４）からなる剥取爪（３）を備えたトング形状（５）と、且後方に前記二本（４）からなる剥取爪（３）を外方から内方に弾力（６）を有するように取手（７）を接合（２３）させ、前記剥取爪（３）
の先端部を上方と共に後方に向かって突出（９）させる斜め形状部（１０）を有する
樹脂部材（１１）を結合（２４）させたことを特徴とすることを示しその前方を傾斜
を与える形状２で構成する二本４からなる剥取爪３を備えたトング形状５となるその
剥取爪３の上部に焼魚等を裏返す為に置くものとなり、その傾斜を与えることとなる
前方に乗せる焼魚はその傾斜の角度に応じて斜め状態となり、その後方に有する取手
７を少し持ちあげることによってその斜め状態の角度に比例して焼魚は裏面に返す効
率を高めるものとなりまたその持ち上げるという動作で使う力を軽減させることがで
き、更にその剥取爪３の先端部に上方と共に後方に向かって突出９させる斜め形状部
１０を有する樹脂部材１１を結合２４させることによりその突出させる樹脂部材１１
の軽量となりやすく使用できるようになることや滑りにくい部材を形成とすることが
でき尚その後方に向かって突出させる斜め形状部１０の仮に屈折によりその二本４か
らなる剥取爪３の上部に乗せる焼魚をその屈折部による角により軽度に抑え込み傾斜
からなる焼魚を落とすことなく返す角度間を安定して保持させながら使用することが
できまたその前方に剥取爪３を備えたトング形状５を外方から内方に弾力６を有する
ように取手７を接合２３させることにより大きい焼魚を掴み移動させることやたらこ
やめざし等の小さい焼き調理をそのトングで挟み込むことができるようになり尚その
取手７を設けることによりそのトングを親指や人差し指での挟み込む操作ができるよ
うになる為仮に通常５本指で握る力を半減させることが可能となり扱いやすい部材と
なり尚その剥取爪３を備えたトング形状５を外方から内方に弾力を有するように取手
を接合２３させるその弾力はその取手に金属等の剥取爪３を図のように取り付けてそ
の金属の弾力を利用してそのトングで挟み込む形成とすることができる。
【００２９】
図２の（ａ）は前記樹脂部材１１を弾性部材２２としたことを特徴とすることやま
た前記二本４からなる剥取爪３を前記先端部から後方部にかけて少なくとも一部を平
行８になるように形成したことを特徴とすることを示しまずその樹脂部材１１を弾性
部材２２としたことによりその上方と共に後方に向かって突出９させる斜め形状部１
０の弾性部材２２は変形のしやすくなる為その剥取爪３の上部に乗せる焼魚をいため
ることなくその斜め形状部１０の仮に屈折部により挟み込むまたは軽度に支えること
ができ更にその弾性部材２２の弾力を利用してその二本からなる剥取爪３を備えたト
ング形状５で挟み込む調理品を優しく押えると共に掴みやすい部材とすることができ
次にその二本４からなる剥取爪３を平行に８なるように形成したことにより真っすぐ
焼魚下や平行８に形成されるガスグリル下等の網に入れ込みやすくなる為その焼魚を
返しやすくするものとなり（ｂ）は前記焼魚等の調理器具１をほぼくの字１２となる
ように形成したことを特徴とすることを示しその焼魚等の調理器具１をほぼくの字１
２となるように形成したことによりその二本４からなる剥取爪３に角度を与えやすく
なることによりその角度に比例した斜め状態の焼魚となる為その調理具材等を裏返し
しやすいものとなり仮にその焼魚は約６０度付近になると裏返り始める為そのくの字
１２のような曲線を３０度で形成するとその取手持ち上げはおおよそ３０度のとなる
為直線で形成される部材の持ち上げよりは半分の角度上げによる力や動作の短縮がで
きるものとなりまた試作品での使用例の結果その角度は４０度から４５度がその部材
が収納しやすく扱いやすいベストな角度となり（ｃ）は前記焼魚等の調理器具１をほ
ぼ湾曲１３となるように形成したことを特徴とすることを示しその焼魚等の調理器具
１をほぼ湾曲１３となるように形成したことにより緩やかかカーブを描き見た目に優
しい形成となり仮にそのほぼくの字１２とほぼ湾曲１３の違いはそのくの字１２はそ
の前記焼魚等の調理器具１が角をたてて屈折して折れ曲がってる状態のものを示しま
たその湾曲１３はその屈折角に丸みを与えて形成させている形状を示し（ｄ）は前記
焼魚等の調理器具１を少なくとも一か所の屈折部１４または曲部１５がある山なり形
状１６としたことを特徴とすることを示しその焼魚等の調理器具１を少なくとも一か
所の屈折部１４または曲部１５がある山なり形状１６としたことによりその屈折部１
４または曲部１５は前途くの字１２や湾曲１３の曲げる方向と異なる該方向となる仮
に内側に曲げることによりそれぞれの剥取爪３を離間して（ａ）で示す平行８に形成
しやすいものとなりまたその山なり形状１６はその焼魚等の調理器具１を少なくとも
一か所の屈折部１４または曲部１５の屈折部を有した形状を示し仮にその図のように
角度を段階的に複数個所で角度を有する屈折部を形成することによりその剥取爪３の
先端部側となる前方の焼き魚等をのせる傾斜部の角度を多く保って形成してもその焼
魚等の調理器具１を緩やかなカーブに見せることや該カーブにより扱いやすい部材と
することが可能となり尚一例となるがその焼魚等の調理器具１の少なくとも一部また
は図のように凹凸波状曲部１５や凸部のエンボス曲部１５または仮にその凸部の肉厚
が異なるダブルエンボス突起のように複数の肉厚突起を設ける曲部１５として形成し
てもよいものとなりまたその焼魚等の調理器具１には滑り止め方法を介して形成して
使用しやすい部材としてもよいものとなり（ｅ）は前記剥取爪３の少なくとも一部を
上下に幅を有する平板面１７となるように形成したことを特徴とすることを示しその
図の一番上のように全体面を平板形状１７となることによりその剥取爪３にのせる焼
き魚等の調理品の重さはその平板面１７を伝い真下に係りやすくなる為安定しやすい
ものとなることやそれぞれの剥取爪３をトングとして仮に親指と人さし指で挟みやす
くなることやそのトング形状５の先端部で調理品が掴みやすくなることとなりまたそ
の図の真ん中で示す形状はその剥取爪３に係る先端部を平板面１７に形成したものと
なり更にその図の一番下は前途示すそれぞれの指でトングを摘みやすくしたものとな
りまた仮にその焼魚等の調理器具１に係る形成は熱可塑性樹脂で形成する、耐熱金属
で形成する、ナイロンで形成する、シリコンで形成する、熱可塑性エラストマー形成
する、ガラス繊維等の耐熱繊維で形成する、合成樹脂で形成する等がありそれぞれを
少なくとも一種類を使用することができ（ｆ）は前記上方と共に後方に向かって突出
９させる斜め形状部１０からなる樹脂部材１１をほぼ矢印形状１８としたことを特徴
とすることを示し図等のように樹脂部材１１をほぼ矢印形状となることによりその上
方と共に後方に向かって突出させる斜め形状にそれぞれの調理具材が係りやすくなる
為その具材を落としにくくその剥取爪３に角度を有しても落ちにくい形成となり（ｇ）
は前記樹脂部材１１の上面と内面の少なくとも一部を平面１９となるように形成した
ことを特徴とすることを示しそのまず樹脂部材１１の上面を平面１９となるように形
成したことによりその剥取爪３で掬う焼魚等をその面にのせ安定した状態で裏返しま
たはお皿等に移すことができるものとなり次にその樹脂部材１１の内面を少なくとも
一部を平面１９となるように形成したことによりそれぞれの剥取爪３に係るトング使
用で仮にたらこや目指し等を掴みやすくして使用しやすいものとしまた一例となるが
仮にその剥取爪３の上面をひら面に形成してもよいものとなり（ｈ）は前記平面１９
にほぼ等間隔２０で配設する凸部２１を設け形成したことを特徴とすることを示しそ
の平面１９にほぼ等間隔２０で配設する凸部２１を設け形成したことによりその樹脂
部材１１または弾性部材２２に滑り止め効果を与えその剥取爪３で掴むことや焼魚等
を掬いのせる安定を与えることとなりまた図示はないがその樹脂部材１１または弾性
部材２２に滑り止め効果を与える方法を介して形成することやまたそれぞれの凸部２
１は等間隔２０に形成しないその間隔をまばらに形成しても効果は出るものとなり
（ｉ）は一例となるがその剥取爪３の先端部や該先端部からなる樹脂部材または弾性
部材に複数の穴や複数の凹部を設けて滑り止め効果を与えたものとなりまた図示はな
いがその剥取爪３の先端部に結合２４する樹脂部材１１や弾性部材２２が仮になくと
もその先端部を前記斜め形状部１０と類似する状態を形成して使用することもできる。
【符号の説明】
【００３０】
１  焼魚等の調理器具
２  斜面を与える形状
３  剥取爪
４  二本
５  トング形状
６  弾力
７  取手
８  平行
９  突出
１０  斜め形状部
１１  樹脂部材
１２  くの字
１３  湾曲
１４  屈折
１５  曲線
１６  山なり形状
１７  平板面
１８  矢印形状
１９  平面
２０  等間隔
２１  凸部
２２  弾性部材
２３  接合
２４  結合
【図１】
0003213961.tif 000003
【図２】
0003213961.tif 000004
【手続補正書】
【提出日】平成29年10月10日(2017.10.10)
【手続補正１】
【補正対象書類名】実用新案登録請求の範囲
【補正対象項目名】全文
【補正方法】変更
【補正の内容】
【実用新案登録請求の範囲】
【請求項１】
前方を傾斜を与える形状（２）で構成する二本（４）からなる剥取爪（３）を備えたトング形状（５）と、前記剥取爪（３）が外方から内方に弾力（６）を有するように前記トング形状（５）の後方に接合（２２）された取手（７）と、前記剥取爪（３）の先端部に結合（２３）された樹脂部材であって、上方かつ後方に向かって突出（９）させる斜め形状部（１０）を有する樹脂部材（１１）と、
からなることを特徴とする焼魚の調理器具。
【請求項２】
前記樹脂部材を弾性部材としたことを特徴とする請求項１記載の焼魚の調理器具。
【請求項３】
前記二本からなる剥取爪を前記先端部から後方部にかけて少なくとも一部を平行になるように形成したことを特徴とする請求項１または２記載の焼魚の調理器具。
【請求項４】
前記焼魚の調理器具をほぼくの字となるように形成したことを特徴とする請求項１乃至３
のいずれか１項に記載の焼魚の調理器具。
【請求項５】
前記焼魚の調理器具をほぼ湾曲となるように形成したことを特徴とする請求項１乃至４のいずれか１項に記載の焼魚の調理器具。
【請求項６】
前記焼魚の調理器具を少なくとも一か所の屈折部または曲部がある山なり形状としたこと
を特徴とする請求項１乃至５のいずれか１項に記載の焼魚の調理器具。
【請求項７】
前記剥取爪の少なくとも一部を上下に幅を有する平板面となるように形成したことを特徴とする請求項１乃至６のいずれか１項に記載の焼魚の調理器具。
【請求項８】
前記上方かつ後方に向かって突出させる斜め形状部からなる樹脂部材をほぼ矢印形状とし
たことを特徴とする請求項１乃至７のいずれか１項に記載の焼魚の調理器具。
【請求項９】
前記樹脂部材の上面と内面の少なくとも一部を平面となるように形成したことを特徴とする請求項１乃至８のいずれか１項に記載の焼魚の調理器具。
【請求項１０】
前記平面にほぼ等間隔で配設する凸部を設け形成したことを特徴とする請求項９に記載の焼魚の調理器具。